(57)【要約】【課題】  線光源装置、液晶表示装置及び電子機器において、省スペースかつ低コストな線状のイルミネーションが可能で、高い視覚的効果を得ること。【解決手段】  光源２と、該光源２を光入射面である端面３ａに配し光源２から入射され導光した光を光路変換して光出射面である側端面３ｂから線状に出射する帯状導光体３と、該帯状導光体３を挿入して側端面３ｂを開口部に配した溝状又はスリット状の収納部４ａが形成された支持体４と、を備えている。【選択図】  図１
2010027356.tif 000002
【特許請求の範囲】
【請求項１】
光源と、
該光源を光入射面である端面に配し前記光源から入射され導光した光を光路変換して光出射面である側端面から線状に出射する帯状導光体と、
該帯状導光体を挿入して前記側端面を開口部に配した溝状又はスリット状の収納部が形成された支持体と、を備えていることを特徴とする線光源装置。
【請求項２】
請求項１に記載の線光源装置において、
前記帯状導光体が、導光フィルムで形成されていることを特徴とする線光源装置。
【請求項３】
請求項１又は２に記載の線光源装置において、
前記帯状導光体が、前記光源が配される端面から遠いほど幅が狭く形成されていることを特徴とする線光源装置。
【請求項４】
請求項１から３のいずれか一項に記載の線光源装置において、
前記収納部の内面が、鏡面又は白色面となっていることを特徴とする線光源装置。
【請求項５】
請求項１から４のいずれか一項に記載の線光源装置において、
前記帯状導光体の両端面に、それぞれ前記光源が配されていることを特徴とする線光源装置。
【請求項６】
請求項１から５のいずれか一項に記載の線光源装置において、
前記光源が、赤色ＬＥＤ素子、緑色ＬＥＤ素子及び青色ＬＥＤ素子を備えたＲＧＢ−ＬＥＤであることを特徴とする線光源装置。
【請求項７】
請求項１から６のいずれか一項に記載の線光源装置において、
前記帯状導光体の光入射面である前記端面の近傍に、前記光源の光軸方向と異なる方向に折り曲げた折り曲げ部が形成されていることを特徴とする線光源装置。
【請求項８】
請求項１から７のいずれか一項に記載の線光源装置において、
前記支持体上であって前記光源上及びその近傍に貼り付けられ貼付面が反射面である反射テープを備えていることを特徴とする線光源装置。
【請求項９】
請求項１から８のいずれか一項に記載の線光源装置において、
前記支持体に、前記光源の背面に当接した状態で前記光源を光入射面である前記端面に向けて押し付ける弾性部が形成されていることを特徴とする線光源装置。
【請求項１０】
請求項１から９のいずれか一項に記載の線光源装置において、
前記光源と光入射面である前記端面との間に又は前記端面を含む端部自体に、前記光源から出射された光を集光して前記帯状導光体に入光及び導光させる集光光学部を備えていることを特徴とする線光源装置。
【請求項１１】
請求項１０に記載の線光源装置において、
前記光源が、上面発光型ＬＥＤであることを特徴とする線光源装置。
【請求項１２】
請求項１から１１のいずれか一項に記載の線光源装置において、
前記帯状導光体が、光出射面である前記側端面に対向する他方の側端面の少なくとも一部に、導光する光を光出射面である前記側端面側に光路変換する光学形状部が施されていることを特徴とする線光源装置。
【請求項１３】
液晶表示パネルと、
該液晶表示パネルを照明する面状ライトユニットと、
前記帯状導光体が前記液晶表示パネルの外周に沿って配設された請求項１から１２のいずれか一項に記載の線光源装置と、を備えていることを特徴とする液晶表示装置。
【請求項１４】
請求項１３に記載の液晶表示装置において、
前記面状ライトユニットが、導光した光を光路変換して主面側から面状に出射する導光板と、該導光板を支持するフレーム部材と、を備え、
前記支持体が、前記フレーム部材であることを特徴とする液晶表示装置。
【請求項１５】
請求項１３又は１４に記載の液晶表示装置を備えていることを特徴とする電子機器。
【請求項１６】
筐体に前記液晶表示装置を設けた携帯電話機であることを特徴とする請求項１５に記載の電子機器。
【発明の詳細な説明】
【技術分野】
【０００１】
本発明は、例えば携帯電話機の背面イルミネーション等の視覚的効果を向上させることができる線光源装置、液晶表示装置及び電子機器に関する。
【背景技術】
【０００２】
携帯電話機等では、折り畳み可能な筐体を備えたものが多い。このような携帯電話機では、筐体の内側に設けられたメインの液晶表示装置だけでなく、筐体の外側にもデザイン性向上や遊び用途等のため、ＬＥＤ光源や液晶表示パネル又は有機ＥＬパネル等の簡易的なディスプレイ装置が搭載されて背面照明や情報表示等を行う機器が普及している。
【０００３】
従来、例えば特許文献１には、液晶表示面の辺縁に沿って延在する光伝送チューブを設け、該光伝送チューブの一端から光を入射して側周面から光を放射して液晶表示面の前面に光を照射する液晶照明装置が提案されている。
【０００４】
【特許文献１】特開２００１−３１８２３５号公報（特許請求の範囲、図６）
【発明の開示】
【発明が解決しようとする課題】
【０００５】
しかしながら、上記従来の技術には、以下の課題が残されている。
近年、特に携帯電話機等の背面イルミネーションについて、液晶表示パネル周囲の視覚的効果を高めてデザイン性を向上させることが要望されている。上記特許文献１に記載の技術では、光伝送チューブによって液晶表示面に向けて光を出射して照明しているが、液晶表示面の外周におけるイルミネーションとしては機能していない。例えば、光伝送チューブによって液晶表示面ではなく上方に向けて光を出射させてイルミネーション用とすることも考えられるが、光伝送チューブは円筒状のため、筐体に広い収納スペースが必要になってしまい、携帯電話機等の小型かつ薄型の電子機器に搭載することには問題がある。また、光伝送チューブは途中で曲げることが困難なため、角にミラー等の反射構造が必要になり、部材コストやスペースの増大を招いてしまうと共に多様な形状に対応することも難しいという不都合がある。
【０００６】
本発明は、前述の課題に鑑みてなされたもので、省スペースかつ低コストな線状のイルミネーションが可能で、高い視覚的効果を得ることができる線光源装置、液晶表示装置及び電子機器を提供することを目的とする。
【課題を解決するための手段】
【０００７】
本発明は、前記課題を解決するために以下の構成を採用した。すなわち、本発明の線光源装置は、光源と、該光源を光入射面である端面に配し前記光源から入射され導光した光を光路変換して光出射面である側端面から線状に出射する帯状導光体と、該帯状導光体を挿入して前記側端面を開口部に配した溝状又はスリット状の収納部が形成された支持体と、を備えていることを特徴とする。
【０００８】
この線光源装置では、光源と、該光源を端面に配した帯状導光体と、該帯状導光体を挿入した溝状又はスリット状の収納部が形成された支持体と、を備えているので、光出射面が側端面であるため、細く長い線状光を狭い指向性かつ高輝度で一方向（側端面の直上方向（対向方向））へ出射することができる。また、帯状導光体が狭い溝状又はスリット状の収納部に収納可能であり、かつ単体で折り曲げや屈曲させることもでき、低コストで多様な形状のイルミネーション光が実現可能である。
【０００９】
また、本発明の線光源装置は、前記帯状導光体が、導光フィルムで形成されていることを特徴とする。すなわち、この線光源装置では、帯状導光体が、可撓性を有する導光フィルムで形成されているので、フィルムのカットで容易に作製可能であると共に、折り曲げや屈曲も自在となり、より多様な形状のイルミネーション光を実現することができる。
【００１０】
また、本発明の線光源装置は、前記帯状導光体が、前記光源が配される端面から遠いほど幅が狭く形成されていることを特徴とする。すなわち、この線光源装置では、帯状導光体が、光源が配される端面から遠いほど幅が狭く形成されているので、光源から遠い領域ほど光出射面である側端面に対して対向する他方の側端面が近接し、他方の側端面からの光の反射効果が高くなることで、上記遠い領域で輝度補正が可能になり全体の輝度均一性が向上する。
【００１１】
また、本発明の線光源装置は、前記収納部の内面が、鏡面又は白色面となっていることを特徴とする。すなわち、この線光源装置では、収納部の内面が、鏡面又は白色面となっているので、帯状導光体の両主面から漏れ出た光を収納部の内面により高い反射効果で帯状導光体内に戻すことができ、導光性能が増して輝度の向上を図ることができる。
【００１２】
また、本発明の線光源装置は、前記帯状導光体の両端面に、それぞれ前記光源が配されていることを特徴とする。すなわち、この線光源装置では、帯状導光体の両端面に、それぞれ光源が配されているので、一方の端面だけに光源を配した場合に比べて高輝度が得られると共に、帯状導光体全体の輝度均一性も向上させることができる。
【００１３】
また、本発明の線光源装置は、前記光源が、赤色ＬＥＤ素子、緑色ＬＥＤ素子及び青色ＬＥＤ素子を備えたＲＧＢ−ＬＥＤであることを特徴とする。すなわち、この線光源装置では、光源が、赤色ＬＥＤ素子、緑色ＬＥＤ素子及び青色ＬＥＤ素子を備えたＲＧＢ−ＬＥＤであるので、あらゆる色のイルミネーション光が可能になる。特に、帯状導光体の両端面に、それぞれＲＧＢ−ＬＥＤの光源を配した場合、両端面から異なる色の光を入射することで、帯状導光体の途中で互いの光が混ざり、色を段階的に変化させることが可能になり、さらに色彩が多様に変化するイルミネーションによって高い視覚効果を得ることができる。より具体的には、光源の駆動装置によって、点灯させるＬＥＤ素子の選択や各ＬＥＤ素子に印加する電流を制御することにより、発光色や発光色の分布位置（混色位置）を変化させることができる。特に、電流を変化させて制御することにより、混色位置が動いているように光らせるイルミネーションが可能になる。
【００１４】
また、本発明の線光源装置は、前記帯状導光体の光入射面である前記端面の近傍に、前記光源の光軸方向と異なる方向に折り曲げた折り曲げ部が形成されていることを特徴とする。すなわち、光入射面である端面近傍においては、光源の光軸方向と一致したストレート部分が光源からの直接光によって非常に高い輝度となってしまうが、本発明の線光源装置では、帯状導光体の光入射面である端面の近傍に、光源の光軸方向と異なる方向に折り曲げた折り曲げ部が形成されているので、折り曲げ部により光源からの直接光を除くことで、折り曲げ部以降の帯状導光体で均一性の高い輝度が得られる。
【００１５】
また、本発明の線光源装置は、前記支持体上であって前記光源上及びその近傍に貼り付けられ貼付面が反射面である反射テープを備えていることを特徴とする。すなわち、この線光源装置では、支持体上であって光源上及びその近傍に貼り付けられ貼付面が反射面である反射テープを備えているので、反射テープで光源および帯状導光体を押さえると共に外部への光の出射を遮光し、帯状導光体の固定と光源近傍における漏れ光の低減とを図ることができる。
【００１６】
また、本発明の線光源装置は、前記支持体に、前記光源の背面に当接した状態で前記光源を光入射面である前記端面に向けて押し付ける弾性部が形成されていることを特徴とする。すなわち、この線光源装置では、支持体に、光源の背面に当接した状態で光源を光入射面である端面に向けて押し付ける弾性部が形成されているので、弾性部によって光源が正確に位置決めされて端面に密着されることで、高入光効率が得られると共に組み立て上のばらつきを吸収でき、帯状導光体の長さばらつきも防ぐことができる。
【００１７】
また、本発明の線光源装置は、前記光源と光入射面である前記端面との間に又は前記端面を含む端部自体に、前記光源から出射された光を集光して前記帯状導光体に入光及び導光させる集光光学部を備えていることを特徴とする。すなわち、この線光源装置では、光源と光入射面である端面との間に又は前記端面を含む端部自体に集光光学部を備えているので、光源からの光を効率的に集光して帯状導光体に入光及び導光させることができ、高輝度化を図ることができる。特に、光入射面である端面を含む端部自体に集光光学部が一体化されている場合は、別体の集光光学部を端面に設置した場合に比べて、端面と集光光学部との間に生じる入光損失がなく、より効率的な入光及び導光が可能になって、輝度を向上させることができる。また、一体成型で帯状導光体と共に集光光学部を作製する場合、組み込み時に集光光学部と帯状導光体との位置ズレが生じないと共に、部材コスト及び製造コストの削減を図ることが可能になる。
【００１８】
さらに、本発明の線光源装置は、前記光源が、上面発光型ＬＥＤであることを特徴とする。すなわち、この線光源装置では、上面発光型ＬＥＤの光源を採用するので、側面発光型に比べて広い発光面積を有する上面発光型ＬＥＤであっても、集光光学部を介して効率的に端面に入光させることができ、より高い輝度を得ることができる。また、上面発光型ＬＥＤは、側面発光型に比べて高さを低くでき、装置全体の薄型化が可能になる。
【００１９】
また、本発明の線光源装置は、前記帯状導光体が、光出射面である前記側端面に対向する他方の側端面の少なくとも一部に、導光する光を光出射面である前記側端面側に光路変換する光学形状部が施されていることを特徴とする。すなわち、この線光源装置では、帯状導光体における光出射面である側端面に対向する他方の側端面の少なくとも一部に、導光する光を光出射面である側端面側に光路変換する光学形状部が施されているので、プリズム形状や波形状等の光学形状部によって効率的に光を光出射面に反射して高い輝度を得ることができる。特に、光源から遠い領域における他方の側端面に光学形状部を施すことで、上記遠い領域で輝度補正が可能になり全体の輝度均一性が向上する。
【００２０】
本発明の液晶表示装置は、液晶表示パネルと、該液晶表示パネルを照明する面状ライトユニットと、前記帯状導光体が前記液晶表示パネルの外周に沿って配設された上記本発明の線光源装置と、を備えていることを特徴とする。すなわち、この液晶表示装置では、帯状導光体が液晶表示パネルの外周に沿って配設された上記本発明の線光源装置を備えているので、省スペースかつ低コストで液晶表示パネルの外周を線状に光らせるイルミネーションが可能である。
【００２１】
また、本発明の液晶表示装置は、前記面状ライトユニットが、導光した光を光路変換して主面側から面状に出射する導光板と、該導光板を支持するフレーム部材と、を備え、前記支持体が、前記フレーム部材であることを特徴とする。すなわち、この液晶表示装置では、支持体が、面状ライトユニットのフレーム部材であるので、支持体とフレーム部材との部材共通化によって組み立て工程及び部品コストの削減が図られ、コストダウンが可能になる。
【００２２】
本発明の電子機器は、上記本発明の液晶表示装置を備えていることを特徴とする。すなわち、この電子機器では、上記本発明の液晶表示装置を備えているので、機器の使用者に対して、液晶表示パネルの外周が高輝度で光るイルミネーションの視覚的効果により良好な美観を起こさせることができる。
【００２３】
また、本発明の電子機器は、筐体に前記液晶表示装置を設けた携帯電話機であることを特徴とする。すなわち、この電子機器は、筐体に上記本発明の液晶表示装置を設けた携帯電話機であるので、受信等の電話機の状況に応じて液晶表示パネルの外周を光らせるイルミネーション効果で高い視認性を得ることができる。
【発明の効果】
【００２４】
本発明によれば、以下の効果を奏する。
すなわち、本発明に係る線光源装置によれば、光源と、該光源を端面に配した帯状導光体と、該帯状導光体を挿入した溝状又はスリット状の収納部が形成された支持体と、を備えているので、狭い指向性かつ高輝度な線状光を出射でき、省スペースであると共に単体で折り曲げや屈曲させることもでき、低コストで多様な形状のイルミネーション光が実現可能である。したがって、この線光源装置を備えた液晶表示装置及び電子機器では、液晶表示パネルの外周が高輝度で光るイルミネーションの視覚的効果により高いデザイン性や視覚的効果を得ることができる。
【発明を実施するための最良の形態】
【００２５】
以下、本発明に係る線光源装置、液晶表示装置及び電子機器の第１実施形態を、図１から図６に基づいて説明する。なお、以下の説明に用いる各図面では、各部材を認識可能な大きさとするために縮尺を適宜変更している。
【００２６】
本実施形態における線光源装置１は、図１から図４に示すように、光源２と、該光源２を光入射面である端面３ａに配し光源２から入射され導光した光を光路変換して光出射面である側端面３ｂから線状に出射する帯状導光体３と、該帯状導光体３を挿入して側端面３ｂを開口部に配した溝状又はスリット状の収納部４ａが形成された支持体４と、光源２が実装させ電気的に接続されたフレキシブルプリント基板５と、支持体４上であって光源２上及びその近傍に貼り付けられ貼付面が反射面である反射テープ６と、を備えている。
【００２７】
また、本実施形態の電子機器は、図５に示すように、筐体７の外側に表示面を向けて液晶表示装置８を設けた折り畳み型の携帯電話機（電子機器）９である。
なお、本実施形態では、液晶表示装置８の表示面側を上面側として記載している。
さらに、上記液晶表示装置８は、図６に示すように、液晶表示パネル１０と、該液晶表示パネル１０を照明するバックライトである面状ライトユニット１１と、帯状導光体３が液晶表示パネル１０の外周に沿って配設された上記線光源装置１と、を備えている。
【００２８】
上記帯状導光体３は、光透過性かつ可撓性を有するシリコーン樹脂フィルム等を短冊状にカットした導光フィルムで形成されている。なお、帯状導光体３は、上記導光フィルムで形成されることが好ましいが、アクリル樹脂やポリカーボネート等をカットした後に熱プレス加工によって所定の形状に曲げて作製しても構わない。また、樹脂等の成型品を帯状導光体３に用いることも可能である。
【００２９】
本実施形態では、帯状導光体３が、長方形状の液晶表示パネル１０の外周に沿って略長方形状のリング状とされた主発光部３Ａと、光源２が設置された端面３ａから主発光部３Ａまで入光された光を導光する部分であって反射テープ６によって光を出射させない光路部３Ｂと、で構成されている。
また、帯状導光体３の光入射面である端面３ａの近傍、すなわち光路部３Ｂには、光源２の光軸方向と異なる方向に折り曲げた折り曲げ部３ｃが形成されている。
また、この帯状導光体３は、光源２が配される端面３ａから遠いほど幅が狭く形成されている。
【００３０】
上記光源２は、赤色ＬＥＤ素子、緑色ＬＥＤ素子及び青色ＬＥＤ素子を備えたＲＧＢ−ＬＥＤであって、側面から光を出射する側面発光型ＬＥＤである。
この光源２は、帯状導光体３の両端面に、それぞれ配されている。このため、帯状導光体３は、中間部で最も幅が狭く形成されている。また、上記フレキシブルプリント基板５は、両方の光源２を実装して電気的に接続されている。
【００３１】
上記支持体４には、一方の光源２の背面に当接した状態で光源２を光入射面である端面３ａに向けて押し付ける弾性部４ｂが形成されている。この弾性部４ｂは、光源２の後方において光源２の光軸方向と略同方向に突出状態で延在し、略Ｌ字状に形成された先端で光源２をその後方から押圧するように形成されている。
【００３２】
上記収納部４ａの内面は、鏡面又は白色面となっており、例えば、白色樹脂材料で成型した支持体４を用いることで、収納部４ａの内面を白色面とすることができる。
さらに、帯状導光体３の両主面は導光性を高めるために鏡面とされている。
上記面状ライトユニット１１は、図示しないバックライト用光源と、該バックライト用光源から入射され導光した光を光路変換して主面側から面状に出射する導光板１２と、該導光板１２を支持する上記支持体４と、を備えている。すなわち、支持体４は、帯状導光体３を支持するだけでなく、導光板１２を支持するフレーム部材としても機能している。
【００３３】
この面状ライトユニット１１は、上記導光板１２と、該導光板１２上に積層される拡散シート１３、第１プリズムシート１４Ａ及び第２プリズムシート１４Ｂと、導光板１２の下面に貼り付けられる反射シート１５と、を備えている。
上記導光板１２は、例えば透光性の材料で構成されその側端部から入射されたバックライト用光源からの光を導光すると共に光路変換してその主面（本実施形態では上面）から液晶表示パネル１０に対して面状の照明光を出射する可撓性を有した薄板状又はシート状の薄型導光板である。
【００３４】
なお、導光板１２の表面には、凸状ドットやプリズム等の光路変換を行う複数の微細光学形状部を形成しても構わない。
上記バックライト用光源は、例えば導光板１２の入射面である端面に向けて光を出射可能な白色ＬＥＤである。
上記拡散シート１３は、例えば、アクリル樹脂やポリカーボネート樹脂などの透明樹脂にシリカ粒子などを分散させたシートである。
【００３５】
上記第１プリズムシート１４Ａは、拡散シート１３上に配され、上記第２プリズムシート１４Ｂは、第１プリズムシート１４Ａ上に配されている。第１プリズムシート１４Ａ及び第２プリズムシート１４Ｂは、拡散シート１３からの光を上面側に集光するための透明シート状の部材であり、平行な複数の稜線を有するプリズム部を上面側に有している。なお、第１プリズムシート１４Ａは、バックライト用光源の光軸に対して、プリズム部の稜線がねじれの位置に設定され、特に、上方への高い指向性が得られる方向として、バックライト用光源２の光軸に直交する方向と平行に設定される。また、第２プリズムシート１４Ｂは、バックライト用光源２の光軸に対して、プリズム部の稜線が平行に設定されている。すなわち、第１プリズムシート１４Ａと第２プリズムシート１４Ｂとは、互いのプリズム部の稜線がねじれの位置に配され、平面視で互いに稜線が直交している。
【００３６】
上記反射シート１５は、光反射機能を有する金属板、フィルム、箔等であって、本実施形態では銀蒸着膜を設けたフィルムが採用されている。なお、上記銀蒸着膜の代わりに、アルミ金属蒸着膜などを採用しても構わない。
【００３７】
本実施形態の線光源装置１は、図示しない制御部にフレキシブルプリント基板５が接続されて光源２の発光量及び発光色が制御されており、携帯電話機９の状態、例えば受信時等に液晶表示パネル１０の外周にリング状の種々の発光色でイルミネーションが得られるように光源２を駆動制御する。
【００３８】
このように本実施形態の線光源装置１では、光源２と、該光源２を端面に配した帯状導光体３と、該帯状導光体３を挿入した溝状又はスリット状の収納部４ａが形成された支持体４と、を備えているので、光出射面が側端面３ｂであるため、細く長い線状光を狭い指向性かつ高輝度で一方向（側端面の直上方向（対向方向））へ出射することができる。また、帯状導光体３が狭い溝状又はスリット状の収納部４ａに収納可能であり、かつ単体で折り曲げや屈曲させることもでき、低コストで多様な形状のイルミネーション光が実現可能である。
【００３９】
また、帯状導光体３が、可撓性を有する導光フィルムで形成されているので、フィルムのカットで容易に作製可能であると共に、折り曲げや屈曲も自在となり、より多様な形状のイルミネーション光を実現することができる。
さらに、帯状導光体３が、光源２が配される端面３ａから遠いほど幅が狭く形成されているので、光源２から遠い領域ほど光出射面である側端面３ｂに対して対向する他方の側端面が近接し、他方の側端面からの光の反射効果が高くなることで、上記遠い領域で輝度補正が可能になり全体の輝度均一性が向上する。
【００４０】
また、収納部４ａの内面が、鏡面又は白色面となっているので、帯状導光体３の両主面から漏れ出た光を収納部４ａの内面により高い反射効果で帯状導光体３内に戻すことができ、導光性能が増して輝度の向上を図ることができる。
また、帯状導光体３の両端面に、それぞれ光源２が配されているので、一方の端面３ａだけに光源２を配した場合に比べて高輝度が得られ得ると共に、帯状導光体３全体の輝度均一性も向上させることができる。
【００４１】
さらに、光源２が、赤色ＬＥＤ素子、緑色ＬＥＤ素子及び青色ＬＥＤ素子を備えたＲＧＢ−ＬＥＤであるので、あらゆる色のイルミネーション光が可能になる。特に、帯状導光体３の両端面３ａに、それぞれＲＧＢ−ＬＥＤの光源２を配しているので、両端面３ａから異なる色の光を入射することで、帯状導光体３の途中で互いの光が混ざり、色を段階的に変化させることが可能になり、さらに色彩が多様に変化するイルミネーションによって高い視覚効果を得ることができる。より具体的には、光源２の駆動装置である制御部（図示略）によって、点灯させるＬＥＤ素子の選択や各ＬＥＤ素子に印加する電流を制御することにより、発光色や発光色の分布位置（混色位置）を変化させることができる。特に、電流を変化させて制御することにより、混色位置が動いているように光らせるイルミネーションが可能になる。
【００４２】
また、帯状導光体３の光入射面である端面３ａの近傍に、光源２の光軸方向と異なる方向に折り曲げた折り曲げ部３ｃが形成されているので、折り曲げ部３ｃにより光源２からの直接光を除くことで、折り曲げ部３ｃ以降の帯状導光体３、すなわち主発光部３Ａで均一性の高い輝度が得られる。
さらに、支持体４上であって光源２上及びその近傍に貼り付けられ貼付面が反射面である反射テープ６を備えているので、反射テープ６で帯状導光体３を押さえると共に外部への光の出射を遮光し、帯状導光体３の固定と光源２近傍における漏れ光の低減とを図ることができる。
【００４３】
また、支持体４に、光源２の背面に当接した状態で光源２を光入射面である端面３ａに向けて押し付ける弾性部４ｂが形成されているので、弾性部４ｂによって光源２が正確に位置決めされて端面３ａに密着されることで、高入光効率が得られると共に組み立て上のばらつきを吸収でき、帯状導光体３の長さばらつきも防ぐことができる。
【００４４】
次に、本発明に係る線光源装置、液晶表示装置及び電子機器の第２から第４実施形態について、図７から図１３を参照して以下に説明する。なお、以下の各実施形態の説明において、上記実施形態において説明した同一の構成要素には同一の符号を付し、その説明は省略する。
【００４５】
第２実施形態と第１実施形態との異なる点は、第１実施形態では、帯状導光体３の端面３ａに直接、光源２が当接状態に設置されているのに対し、第２実施形態の線光源装置２１では、図７及び図８に示すように、光源２２と光入射面である端面３ａとの間に光源２２から出射された光を集光して端面３ａから帯状導光体３に入光及び導光させる集光光学部２４を備えている点である。また、第２実施形態では、光源２２が、上面発光型ＬＥＤである点で第１実施形態と異なっている。
【００４６】
すなわち、第２実施形態では、樹脂材料又はガラス材で略三角柱状に形成されたプリズム型光学部材の集光光学部２４が光源２２と光入射面である端面３ａとの間に配されており、該端面３ａに集光光学部２４の先端が当接されていると共に基端側の面に光源２２の光出射面が密接されて光が入光可能とされている。
【００４７】
したがって、第２実施形態では、光源２２と光入射面である端面３ａとの間に集光光学部２４を備えているので、光源２２からの光を効率的に集光して帯状導光体３に入光及び導光させることができ、高輝度化を図ることができる。また、上面発光型ＬＥＤの光源２２を採用しているので、側面発光型に比べて広い発光面積を有する上面発光型ＬＥＤであっても、集光光学部２４を介して効率的に端面３ａに入光させることができ、より高い輝度を得ることができる。
【００４８】
また、上面発光型ＬＥＤの光源２２は、側面発光型に比べて高さを低くでき、装置全体の薄型化が可能になる。なお、側面発光型ＬＥＤを採用した場合であっても、帯状導光体３を端面３ａ近傍で９０°ひねらせて端面３ａの延在方向を帯状導光体３の挿入方向に対して直交させることで、高さを低くして薄型化することは可能である。
【００４９】
第３実施形態と第１実施形態との異なる点は、第１実施形態では、帯状導光体３の両端面３ａにそれぞれＲＧＢ−ＬＥＤの光源２が設置されているのに対し、第３実施形態の線光源装置３１では、図９及び図１０に示すように、帯状導光体３３の両端面３ａが一つに重ねられていると共にこれら両端面３ａに１つの白色ＬＥＤである光源３２が配置されている点である。すなわち、第３実施形態の線光源装置３１は、白色のみの単色のリング照明を行う装置である。
【００５０】
また、第３実施形態では、帯状導光体３３が、光出射面である側端面３ｂに対向する他方の側端面３ｂの少なくとも一部に、導光する光を光出射面である側端面３ｂ側に光路変換する光学形状部３３ｄが施されている点で第１実施形態と異なっている。すなわち、第３実施形態では、帯状導光体３３において光源３２から最も遠い領域である中間部分における他方の側端面３ｂに、光源３２からの距離に応じてプリズム形状や波形状等にカットされた光学形状部３３ｄが施されている。
なお、光学形状部３３ｄを、あえて輝度均一性が崩れるように形成することで、所定位置において点状に光を出射することもでき、イルミネーション効果を向上させることも可能である。
【００５１】
したがって、第３実施形態では、光源３２としてＲＧＢ−ＬＥＤでなく、単色（白色光）のＬＥＤの光源１灯だけで済むので、低コスト化を図ることができる。
また、帯状導光体３３における光出射面である側端面３ｂに対向する他方の側端面３ｂの一部に、導光する光を光出射面である側端面３ｂ側に光路変換する光学形状部３３ｄが施されているので、光学的にカットされた光学形状部３３ｄによって効率的に光を光出射面に反射して高い輝度を得ることができる。特に、光源３２から遠い領域における他方の側端面３ｂに光学形状部３３ｄを施しているので、上記遠い領域で輝度補正が可能になり全体の輝度均一性が向上する。
【００５２】
第４実施形態と第２実施形態との異なる点は、第２実施形態では、帯状導光体３の端面３ａに、別途作製された光学部材である集光光学部２４が設置されているのに対し、第４実施形態の線光源装置では、図１１から図１３に示すように、帯状導光体４３が、端面３ａを含む端部自体に集光光学部４４を備えており、帯状導光体４３と集光光学部４４とが一体に形成されている点である。
【００５３】
この帯状導光体４３を作製するには、まず図１１に示すように、押し出し成型によって所定形状のシリコーンシート４５を形成する。このシリコーンシート４５は、両端に端面に向かって漸次厚くなる部分を有した集光光学部４４用の集光用端部４５ａが形成されている。次に、図１２に示すように、シリコーンシート４５から両端の集光用端部４５ａを含んだ所定の帯状に切り抜き、これを図１３に示すように、所定形状に曲げて実装することで、帯状導光体４３を得ることができる。なお、図１２において、符号４５ｂは、帯状導光体４３を切り抜いた部分である。
【００５４】
なお、シリコーンシート４５から帯状導光体４３を切り抜く際に、光源２から遠い部分（中間部分）の幅を狭くしている。したがって、切り抜く際の幅を設定することで、帯状導光体４３の幅調整や光学形状部の形成等を容易に行うことが可能である。
このように、シリコーンシート４５から帯状に切り抜くことで、集光光学部４４が一体に形成された帯状導光体４３を複数同時に作製することが可能になる。
【００５５】
したがって、第４実施形態では、光入射面である端面３ａを含む端部自体に集光光学部４４が形成されて帯状導光体４３と一体化されているので、別体の集光光学部２４を端面３ａに設置した場合に比べて、端面と集光光学部との間に生じる入光損失がなく、より効率的な入光及び導光が可能になって、輝度を向上させることができる。また、一体成型で帯状導光体４３と共に集光光学部４４を作製することにより、組み込み時に集光光学部４４と帯状導光体４３との位置ズレが生じないと共に、部材コスト及び製造コストの削減を図ることが可能になる。
【００５６】
なお、本発明は上記各実施形態に限定されるものではなく、本発明の趣旨を逸脱しない範囲において種々の変更を加えることができる。
【００５７】
例えば、上記各実施形態では、本発明の線光源装置及び液晶表示装置を折り畳み型携帯電話機の筐体の外側に光出射面である側端面及び表示面を向けて設けているが、別の場所に設けても構わない。例えば、折り畳み型携帯電話機の筐体の内側に設けられているメインの液晶表示装置に本発明を適用しても構わない。
また、上記各実施形態では、本発明の線光源装置及び液晶表示装置を折り畳み型の携帯電話機に設けているが、他の形式の携帯電話機に搭載しても構わない。例えば、いわゆるキャンディーバータイプ（ストレート型）の携帯電話機やスライドタイプの携帯電話機の背面等に本発明のディスプレイ装置を搭載しても良い。
【００５８】
また、上記各実施形態では、本発明の線光源装置の帯状導光体を液晶表示パネルの外周に沿って設けているが、筐体の外周部に配設させても構わない。また、矩形状だけでなく、星型やハート型等の形に帯状導光体を折り曲げて多様な形状とすることも可能である。
さらに、本発明の線光源装置及び液晶表示装置を携帯電話機に搭載したが、ＰＤＡ、ノート型パーソナルコンピュータ（ノートＰＣ）や電子辞書等の他の電子機器に採用しても構わない。さらに、本発明の線光源装置を、壁掛けディスプレイや看板等の単体で使用しても構わない。
【図面の簡単な説明】
【００５９】
【図１】本発明に係る線光源装置、液晶表示装置及び電子機器の第１実施形態において、線光源装置を示す分解斜視図である。
【図２】第１実施形態において、反射テープを除いた線光源装置を示す要部を拡大した斜視図である。
【図３】第１実施形態において、線光源装置を示す全体の斜視図である。
【図４】第１実施形態において、帯状導光体、光源及びフレキシブルプリント基板を示す要部を拡大した斜視図である。
【図５】第１実施形態において、携帯電話機（電子機器）を示す斜視図である。
【図６】第１実施形態において、線光源装置及び液晶表示装置を示す要部を拡大した断面図である。
【図７】本発明に係る線光源装置、液晶表示装置及び電子機器の第２実施形態において、反射テープを除いた線光源装置を示す要部を拡大した斜視図である。
【図８】第２実施形態において、帯状導光体、光源及びフレキシブルプリント基板を示す要部を拡大した斜視図である。
【図９】本発明に係る線光源装置、液晶表示装置及び電子機器の第３実施形態において、線光源装置を示す全体の斜視図である。
【図１０】第３実施形態において、線光源装置を示す分解斜視図である。
【図１１】本発明に係る線光源装置、液晶表示装置及び電子機器の第４実施形態において、シリコーンシートを示す斜視図である。
【図１２】第４実施形態において、帯状導光体を切り抜いたシリコーンシートを示す斜視図である。
【図１３】第４実施形態において、帯状導光体において実装した際の形状を示す斜視図である。
【符号の説明】
【００６０】
１，２１，３１…線光源装置、２，２２，３２…光源、３，３３，４３…帯状導光体、３ａ…帯状導光体の端面、３ｂ…帯状導光体の側端面、３ｃ…折り曲げ部、４…支持体、４ａ…収納部、４ｂ…弾性部、６…反射テープ、７…筐体、８…液晶表示装置、９…携帯電話機（電気機器）、１０…液晶表示パネル、１１…面状ライトユニット、１２…導光板、２４，４４…集光光学部、３３ｄ…光学形状部
【図１】
2010027356.tif 000003
【図２】
2010027356.tif 000004
【図３】
2010027356.tif 000005
【図４】
2010027356.tif 000006
【図５】
2010027356.tif 000007
【図６】
2010027356.tif 000008
【図７】
2010027356.tif 000009
【図８】
2010027356.tif 000010
【図９】
2010027356.tif 000011
【図１０】
2010027356.tif 000012
【図１１】
2010027356.tif 000013
【図１２】
2010027356.tif 000014
【図１３】
2010027356.tif 000015